(57)【要約】【課題】天井高さの比較的大きい通路に対して垂れ壁を設けることなく設置可能である上、避難時には避難経路となる通路の幅を大きく確保して安全性を高めることができる防火扉を提供すること。【解決手段】観音開き式に開く左右の扉２，３を具備した防火扉１であって、前記左右の扉２，３は各々、上下二段に分割され、上段扉２ａ、３ａ及び下段扉２ｂ、３ｂを有する。そして、上記防火扉１において、前記左右の扉２，３の前記下段扉２ｂ、３ｂどうしの召合せ部には、互いにオーバーラップ可能な召合せ板部１７，１８が設けられていてもよい。【選択図】図１
2015221966.tif 000002
【特許請求の範囲】
【請求項１】
観音開き式に開く左右の扉を具備した防火扉であって、
前記左右の扉は各々、上下二段に分割され、上段扉及び下段扉を有することを特徴とする防火扉。
【請求項２】
前記左右の扉の前記下段扉どうしの召合せ部には、互いにオーバーラップ可能な召合せ板部が設けられている請求項１に記載の防火扉。
【請求項３】
前記上段扉の一部は前記下段扉用の戸当たり部となっていて、該戸当たり部は前記下段扉に当接し、前記上段扉より先に前記下段扉が閉じることを阻止するように構成されている請求項１又は２に記載の防火扉。
【請求項４】
前記左右の扉は各々、観音開き式に開く折れ扉の戸先側の扉として設けられていて、吊元側の扉に回動可能に支持され、折り畳まれた状態では前記吊元側の扉によって覆われるように構成されている請求項１〜３の何れか一項に記載の防火扉。
【発明の詳細な説明】
【技術分野】
【０００１】
本発明は、例えば、ビル内や地下街等の壁開口において火災時の延焼を防止するための鋼製防火扉として利用される防火扉に関する。
【背景技術】
【０００２】
所定の建物等に設置される防火扉（防火戸）として、火災時にのみ閉鎖され、平時は開放される常開防火扉（常時開放式防火戸あるいは随時閉鎖式防火戸）がある。この常開防火扉が避難経路上に配置されるものであって扉面積が３ｍ２  を超える場合には、閉鎖後に避難者が通過するためのくぐり戸の設置が法律上義務付けられている。これに対して、扉面積が３ｍ２  以下である防火扉は、くぐり戸が不要な避難扉であると位置付けることができる。
【０００３】
そして、常開防火扉が設置される通路の幅が比較的大きい場合には、図４（Ａ）に示すように、常開防火扉を観音開き式の左右の扉５１，５２で構成することが考えられる。この場合、左右の扉５１，５２の各々の扉面積が３ｍ２  以内であれば各扉５１，５２を避難扉として扱うことができ、避難時には両方の扉５１，５２を開放することにより、避難経路となる通路の幅を大きく確保して安全性を高めることができる。
【発明の概要】
【発明が解決しようとする課題】
【０００４】
ところで、常開防火扉が設置される通路の天井高さが比較的大きく、左右の扉５１，５２を天井まで延ばすと扉面積が各々３ｍ２  を超えてしまう場合、左右の扉５１，５２を避難扉として使用するためには、図４（Ｂ）に示すように垂れ壁５３を設けて各扉５１，５２の高さを抑える必要がある。しかし、このように垂れ壁５３を設けると、平時に垂れ壁５３が目立ってしまい、意匠性が大きく損なわれる恐れがある。
【０００５】
これを嫌って、垂れ壁５３を設ける代わりに、図４（Ｃ）に示すように、観音開き式の左右の扉５１，５２のうち、例えば左側の扉５１を上段扉５１ａと下段扉５１ｂとに分割し、下段扉５１ｂを、扉面積が３ｍ２  以下の避難扉として使用可能に構成することが考えられる。しかし、この場合、右側の扉５２を避難扉として見込むことはできない分、避難経路となる通路の幅を大きく確保して安全性を高めるという点では不利になる。
【０００６】
本発明は上述の事柄に留意してなされたもので、その目的は、天井高さの比較的大きい通路に対して垂れ壁を設けることなく設置可能である上、避難時には避難経路となる通路の幅を大きく確保して安全性を高めることができる防火扉を提供することにある。
【課題を解決するための手段】
【０００７】
上記目的を達成するために、本発明に係る防火扉は、観音開き式に開く左右の扉を具備した防火扉であって、前記左右の扉は各々、上下二段に分割され、上段扉及び下段扉を有することを特徴としている（請求項１）。
【０００８】
上記防火扉において、前記左右の扉の前記下段扉どうしの召合せ部には、互いにオーバーラップ可能な召合せ板部が設けられていてもよい（請求項２）。
【０００９】
上記防火扉において、前記上段扉の一部は前記下段扉用の戸当たり部となっていて、該戸当たり部は前記下段扉に当接し、前記上段扉より先に前記下段扉が閉じることを阻止するように構成されていてもよい（請求項３）。
【００１０】
上記防火扉において、前記左右の扉は各々、観音開き式に開く折れ扉の戸先側の扉として設けられていて、吊元側の扉に回動可能に支持され、折り畳まれた状態では前記吊元側の扉によって覆われるように構成されていてもよい（請求項４）。
【発明の効果】
【００１１】
本願発明では、天井高さの比較的大きい通路に対して垂れ壁を設けることなく設置可能である上、避難時には避難経路となる通路の幅を大きく確保して安全性を高めることができる防火扉が得られる。
【００１２】
すなわち、本願の各請求項に係る発明の防火扉では、左右の扉の下段扉を、ともに扉面積が３ｍ２  以下の避難扉とすることができ、避難時には両方の扉を開放することにより、避難通路となる通路の幅を大きく確保して安全性を高めることができる。
【００１３】
また、左右の扉の上段扉の上下方向の寸法は自由に設定可能であるので、天井高さが比較的大きい通路に防火扉を設置する場合には、上段扉の上下方向の寸法を大きくすることにより、下段扉の扉面積を３ｍ２  以下に確実に抑えることができ、意匠性を損なう垂れ壁の設置を不要とすることができる。
【００１４】
請求項２に係る発明の防火扉では、左右の扉の下段扉をともに避難扉とする場合に、これらの下段扉の何れを先に閉めてもよいので、高い利便性が得られ、特に避難時などの緊急時においてこの利便性は大きな意味を持つことになる。
【００１５】
請求項３に係る発明の防火扉では、防火扉が火災感知器等に連動して自動で閉鎖する常開防火扉である場合に、左右の上段扉が先に閉まるように構成されているので、左右の下段扉を避難扉として開放する際に、上段扉を開放する必要がなく、それだけ下段扉は活用し易いものとなる。
【００１６】
請求項４に係る発明の防火扉では、平時には、上下に分割された左右の扉を、上下に分割されていない吊元側の扉で覆うことにより、左右の扉のそれぞれにおいて上下の扉の間に形成される隙間が表に出にくくなり、それだけ美観性が向上することになる。
【図面の簡単な説明】
【００１７】
【図１】（Ａ）及び（Ｂ）は、本発明の一実施の形態に係る防火扉の開放時及び閉鎖時の構成を概略的に示す説明図である。
【図２】前記防火扉の左右の扉の構成を概略的に示す斜視図である。
【図３】（Ａ）は、前記防火扉を構成する４枚の扉の召合せ部の構成を示す正面図、（Ｂ）は（Ａ）のＢ−Ｂ線切断端面図、（Ｃ）は（Ａ）のＣ−Ｃ線切断端面図、（Ｄ）は（Ｃ）のＤ矢視図、（Ｅ）は（Ｃ）のＥ矢視図であり、また、（Ａ）は（Ｃ）のＡ矢視図でもある。
【図４】（Ａ）〜（Ｃ）は、それぞれ従来の防火扉の構成を概略的に示す説明図である。
【発明を実施するための形態】
【００１８】
本発明の実施の形態について図面を参照しながら以下に説明する。
【００１９】
図１（Ａ）及び（Ｂ）に示すように開閉する本実施の形態に係る防火扉１は、避難経路上に配置される常開防火扉であり、平時は図１（Ａ）に示すように開放され、火災時には火災感知器に連動する図外のドアチェック（ドアクローザー）により図１（Ｂ）に示すように閉鎖される。
【００２０】
また、図１（Ｂ）に示すように、防火扉１は、観音開き式に開く左右の扉２，３を具備し、左右の扉２，３は各々上下二段に分割され、左側の扉２は上段扉２ａ及び下段扉２ｂを有し、右側の扉３は上段扉３ａ及び下段扉３ｂを有する。そして、左側の扉２は、左側の吊元扉４の戸先側に上下方向の軸回りに回動可能に支持（軸支）され、この吊元扉４は左側の縦枠５（図１（Ａ）参照）に上下方向の軸回りに回動可能に支持（軸支）されている。同様に、右側の扉３も右側の吊元扉６に回動可能に支持（軸支）され、この吊元扉６は右側の縦枠７（図１（Ａ）参照）に回動可能に支持（軸支）されている。
【００２１】
つまり、防火扉１は、計六枚の扉２ａ，２ｂ，３ａ，３ｂ，４，６で構成された折れ戸式かつ観音開き式の扉である。そして、左右の扉２，３は各々、観音開き式に開く折れ扉の戸先側の扉として設けられていて、吊元扉（吊元側の扉）５，７に回動可能に支持され、折り畳まれた状態では吊元扉５，７によって覆われるように構成されている（図１（Ａ）参照）。なお、左右の扉２，３、吊元扉５，７を各々回動可能とするための構成としては、例えばヒンジ（蝶番）を用いることができる。
【００２２】
防火扉１が閉鎖される際、左右の上段扉２ａ，３ａの閉鎖順位は、防火扉１の上方に配された扉閉鎖順位調整器８（図１（Ａ）参照）で調整され、本例では左側の上段扉２ａに先立って右側の上段扉３ａが閉鎖されるように構成されている。ここで、図２に示すように、右側の上段扉３ａの背面側には、戸先側に突出する突出部（召合せ板部）９が設けられ、この突出部９に対応する段部（召合せ受け部）１０が左側の上段扉２ａの戸先部の背面側に設けられている。また、左側の上段扉２ａの前面側には、戸先側に突出する突出部（召合せ板部）１１が設けられ（図３（Ｂ）も参照）、この突出部１１に対応する段部（召合せ受け部）１２が右側の上段扉３ａの戸先部の前面側に設けられている。なお、図３（Ｂ）には、突出部９と段部１０との間に隙間があり、突出部１１と段部１２との間にも隙間がある状態を示しているが、閉鎖状態においてこれらの隙間は空いていてもよいし、隙間がなくなるように左右の扉２，３が接触するように構成されていてもよい。
【００２３】
そして、図２、図３（Ｄ）に示すように、左側の上段扉２ａの下部には、左側の下段扉２ｂ用の戸当たり部となる段部１３が設けられていて、この段部１３は、左側の下段扉２ｂの上部の前面側に形成された上方に突出する突出部１４に当接し、左側の上段扉２ａより先に左側の下段扉２ｂが閉じることを阻止するように構成されている。同様に、図２、図３（Ｅ）に示すように、右側の上段扉３ａの下部には、右側の下段扉３ｂ用の戸当たり部となる段部１５が設けられていて、この段部１５は、右側の下段扉３ｂの上部の前面側に形成された上方に突出する突出部１６に当接し、右側の上段扉３ａより先に右側の下段扉３ｂが閉じることを阻止するように構成されている。
【００２４】
一方、左右の扉２ｂ、３ｂの何れが先に閉鎖してもよいように、左右の下段扉２ｂ、３ｂどうしの召合せ部には、互いにオーバーラップ可能に構成された召合せ板部１７，１８が設けられている（図２、図３（Ｃ）参照）。具体的には、左側の下段扉２ｂの戸先部の前面側には突出部（召合せ板部）１７が設けられ、右側の下段扉３ｂの戸先部の前面側には突出部（召合せ板部）１８が設けられている。なお、左右の下段扉２ｂ、３ｂの背面側に、召合せ部は設けられていない。
【００２５】
そして、４枚の扉２ａ、２ｂ、３ａ、３ｂの召合せ部は、図３（Ａ）に示すように、閉じた状態の召合せ部に開口（前後に延びる貫通孔）が形成されないように構成されている。ここで、図３（Ａ）では、４枚の扉２ａ、２ｂ、３ａ、３ｂの違いを明確に示すために、右側の下段扉３ｂを最も太い線で示し、左側の下段扉２ｂを次に太い線で示し、左側の上段扉２ａを３番目に太い線で示し、右側の上段扉３ａを最も細い線で示してある。この図３（Ａ）に示すように、右側の上段扉３ａの二つの段部１２、１５の前面は面一になっていて繋がっている。また、左側の下段扉２ｂの二つの突出部１４，１７と、右側の下段扉３ｂの二つの突出部１６、１８とは、各々前面が面一になっていて繋がっている（図２参照）。一方、左側の上段扉２ａにおいて、突出部１１は、図２、図３（Ａ）に示すように、段部１３の上端よりも下方には延びておらず、段部１３は、突出部１１の基端よりも戸先側には延びていない。
【００２６】
上記構成からなる防火扉１では、左右の扉２，３の下段扉２ｂ、３ｂを、ともに扉面積が３ｍ２  以下の避難扉とすることができ、避難時には両方の扉２ｂ、３ｂを開放することにより、避難通路となる通路の幅を大きく確保して安全性を高めることができる。
【００２７】
また、左右の扉２，３の上段扉２ａ、３ａの上下方向の寸法は自由に設定可能であるので、天井高さが比較的大きい通路に防火扉１を設置する場合には、上段扉２ａ、３ａの上下方向の寸法を大きくすることにより、下段扉２ｂ、３ｂの扉面積を３ｍ２  以下に確実に抑えることができ、意匠性を損なう垂れ壁の設置を不要とすることができる。
【００２８】
さらに、左右の扉２，３の下段扉２ｂ、３ｂをともに避難扉とする場合に、これらの下段扉２ｂ、３ｂの何れを先に閉めてもよいので、高い利便性が得られ、特に避難時などの緊急時においてこの利便性は大きな意味を持つことになる。
【００２９】
その上、防火扉１が火災感知器等に連動して自動で閉鎖する常開防火扉である場合に、左右の上段扉２ａ、３ａが先に閉まるように構成されているので、左右の下段扉２ｂ、３ｂを避難扉として開放する際に、上段扉２ａ、３ａを開放する必要がなく、それだけ下段扉２ｂ、３ｂは活用し易いものとなる。
【００３０】
しかも、平時には、上下に分割された左右の扉２，３を、上下に分割されていない吊元扉４，６で覆うことにより（図１（Ａ）参照）、左右の扉２，３のそれぞれにおいて上下の扉の間に形成される隙間が表に出にくくなり、それだけ美観性が向上することになる。
【００３１】
なお、本発明は、上記の実施の形態に何ら限定されず、本発明の要旨を逸脱しない範囲において種々に変形して実施し得ることは勿論である。例えば、以下のような変形例を挙げることができる。
【００３２】
上記実施の形態では、防火扉１が避難経路上に配置される常開防火扉である例を示したが、これに限らず、防火扉１は避難経路上に配置されないものであってもよいし、常開防火扉ではなく常閉防火扉（常時閉鎖式防火戸）であってもよい。
【００３３】
上記実施の形態では、左右の扉２，３は各々、観音開き式に開く折れ扉の戸先側の扉（吊元扉に回動可能に支持された扉）として設けられているが、これに限らず、左右の扉２，３の何れか一方又は両方が、吊元扉に回動可能に支持されておらず、縦枠等に直接支持されている扉であってもよい。
【００３４】
上記実施の形態では、左右の扉２，３の下段扉２ｂ、３ｂを、ともに扉面積が３ｍ２  以下の避難扉とした場合のメリットを強調しているが、この構成に限るものではなく、下段扉２ｂ、３ｂの何れか一方または両方を避難扉としなくてもよいのであって、その場合には例えばくぐり戸を別途設けるようにすればよい。
【００３５】
また、防火扉１の上方に垂れ壁を設けてあってもよい。
【００３６】
また、左右の扉２，３の下段扉２ｂ、３ｂの閉鎖順序が一義的に定まるように防火扉１が構成されていてもよい。
【００３７】
また、４枚の扉２ａ、２ｂ、３ａ、３ｂの召合せ部は、閉じた状態の召合せ部に開口（前後に延びる貫通孔）が形成されないように構成されていればよく、従って、この召合せ部の構成も種々に変更可能である。
【００３８】
なお、上記変形例どうしを適宜組み合わせてもよいことはいうまでもない。
【符号の説明】
【００３９】
１    防火扉
２    左側の扉
２ａ  上段扉
２ｂ  下段扉
３    右側の扉
３ａ  上段扉
３ｂ  下段扉
４    左側の吊元扉
５    左側の縦枠
６    右側の吊元扉
７    右側の縦枠
８    扉閉鎖順位調整器
９    突出部（召合せ板部）
１０    段部（召合せ受け部）
１１    突出部（召合せ板部）
１２    段部（召合せ受け部）
１３    段部（戸当たり部）
１４    突出部
１５    段部（戸当たり部）
１６    突出部
１７    突出部（召合せ板部）
１８    突出部（召合せ板部）
５１    左側の扉
５１ａ  上段扉
５１ｂ  下段扉
５２    右側の扉
５３    垂れ壁
【図１】
2015221966.tif 000003
【図２】
2015221966.tif 000004
【図３】
2015221966.tif 000005
【図４】
2015221966.tif 000006